(57)【特許請求の範囲】
【請求項１】
プラスチック材料で射出成形により一体成形された底板、その周辺上に立ち上がる側板、及び、前記底板と前記側板との接続部の外側に張出した下部フランジ、を備え、内部に収容物を入れる容器であって、
さらに、下記ア）のカード差し片及びイ）のガイド部からなり、前記収容物の種類などを表示するカードの下端部を両者の間に差し込んで保持するカード差し部を有し、
ア）前記下部フランジから上方向へ立ち上がるように形成されており、その先端が前記側板外面とスキマを隔てて対向するカード差し片、
イ）前記下部フランジと前記側板とが交差する隅において、前記底板の辺に沿う方向に対して前記カード差し片とずれた位置に、内側に斜めに盛り上がるように形成されたガイド部、
前記カード差し片が、容器射出成形時の成形姿なりに形成されていることを特徴とするプラスチック容器。
【請求項２】
前記カード差し片は、前記下部フランジの外縁から上方向へ立ち上がる立ち上がり片と、該立ち上がり辺の上縁から、前記側板方向及び上方向に湾曲した湾曲片とを有し、
前記ガイド部は、前記下部フランジから前記側板向けて湾曲したガイド面を有することを特徴とする請求項１記載のプラスチック容器。
【請求項３】
側面視において、
前記カード差し片の基部と前記下部フランジとの間にはスキマＣ１が開いており、
前記カード差し片の先端部と前記側板との間にはスキマＣ２が開いており、
前記カード差し片の湾曲部の中央付近の下面と、前記ガイド部の中央付近のガイド面との間には、ゼロ又はマイナスのスキマＣ３が生じていることを特徴とする請求項１又は２に記載のプラスチック容器。
【請求項４】
前記カード差し片とガイド部とが複数であり、かつ、前記側板の長さ方向に交互に配置されており、
前記カード差し片の両側に前記ガイド部が配置されていることを特徴とする請求項１、２又は３に記載のプラスチック容器。
【発明の詳細な説明】
【技術分野】
【０００１】
本発明は、部品や製品などの物品が収容されて保管・搬送されるプラスチック容器に関する。特には、収容される物品の種類などの情報が記されたカードを保持するカード差し部を備えたプラスチック容器に関する。
【背景技術】
【０００２】
物品の保管や搬送に使用されるプラスチック容器（コンテナ）には、収容される物品の種類や個数、出荷元、納入先等を記したカードを保持するカード差し部が備えられている。カードは収容される物品が変わるごとに変更されるので、カードがしっかりと保持されることに加えて、カードを簡単に差し替えられることが要求される。また、カードの寸法が変わる場合もある。このようなカード差し部として、容器と別物のカード差しを有し、容器の側壁にこのカード差しを取り外し可能に装着する係合部が設けられたものがある（例えば、特許文献１、特許文献２参照）。
【０００３】
また、カード押さえ条片部を、薄肉連結部を介して容器の側壁と一体に形成した後、薄肉連結部を曲げ加工により屈曲させて、カード押さえ条片部を容器の側壁にロックするものもある（例えば、特許文献３参照）。
【０００４】
【特許文献１】実公平２−３１３８３号公報
【特許文献２】特開２００４−９１０２７号公報
【特許文献３】特開２００１−１３４１８５号公報
【発明の開示】
【発明が解決しようとする課題】
【０００５】
カード差しが容器と別物に設けられている場合、容器とカード差しとを別の金型で作製する必要があり、製造コストがアップする。また、カード差しを容器に装着する工程が必要になる。
また、カード押さえを容器と一体に製造し、カード押さえを曲げ加工で屈曲させる場合は金型は一つですむが、ロック機構を有するため、金型の構造が複雑になる。また。曲げ加工やロックさせる工程などの二次工程が必要になる。
【０００６】
本発明は上記の問題点に鑑みてなされたものであり、カード差しを二次加工の必要なく一体に設けたプラスチック容器を提供することを目的とする。
【課題を解決するための手段】
【０００７】
本発明のプラスチック容器は、  プラスチック材料で射出成形により一体成形された底板、その周辺上に立ち上がる側板、及び、前記底板と前記側板との接続部の外側に張出した下部フランジ、を備え、内部に収容物を入れる容器であって、  さらに、下記ア）のカード差し片及びイ）のガイド部からなり、前記収容物の種類などを表示するカードの下端部を両者の間に差し込んで保持するカード差し部を有し、  ア）前記下部フランジから上方向へ立ち上がるように形成されており、その先端が前記側板外面とスキマを隔てて対向するカード差し片、  イ）前記下部フランジと前記側板とが交差する隅において、前記底板の辺に沿う方向に対して前記カード差し片とずれた位置に、内側に斜めに盛り上がるように形成されたガイド部、  前記カード差し片が、容器射出成形時の成形姿なりに形成されていることを特徴とする。
【０００８】
本発明によれば、カード差し片とガイド部とを、容器本体を成形する金型で作製できるので、製造コストアップを招くことなく容器にカード保持部を設けることができる。また、カード差し片が、容器射出成形時の成形姿なりに形成されているので、成形後の曲げ加工等の二次加工が不要である。
【０００９】
本発明においては、  前記カード差し片は、前記下部フランジの外縁から上方向へ立ち上がる立ち上がり片と、該立ち上がり辺の上縁から、前記側板方向及び上方向に湾曲した湾曲片とを有し、  前記ガイド部は、前記下部フランジから前記側板向けて湾曲したガイド面を有することが好ましい。
【００１０】
さらに、  側面視において、  前記カード差し片の基部と前記下部フランジとの間にはスキマＣ１が開いており、  前記カード差し片の先端部と前記側板との間にはスキマＣ２が開いており、  前記カード差し片の湾曲部の中央付近の下面と、前記ガイド部の中央付近のガイド面との間には、ゼロ又はマイナスのスキマＣ３が生じていることが好ましい。
【００１１】
カード差し片の湾曲部の先端部と側板との間にスキマＣ２（図２参照）が開いているので、カードの下縁（先端縁）を挿入しやすい。カードをそのまま下方に押し込むと、カードの先側縁は、ガイド部のガイド面に沿って湾曲しながら進み、最終的にカード先側縁がカード差し片の立ち上がり部に当接する。ここで、カード差し片の湾曲部の基部と下部フランジとの間には、側面視においてスキマＣ１が開いているので、カードの先側縁が立ち上がり部に当接するまでカードを挿入することができる。このように下部フランジの上面のほとんどの部分を利用するため、高さの高いカードにも対応できる。
【００１２】
なお、カード差し片の湾曲部の下面の中央部と、前記ガイド部のガイド面の中央部との間のスキマＣ３がゼロより小さいとは、側面から見て、カード差し片とガイド部とが重なって、カード差し片の湾曲部の中央付近の下面が、ガイド部の中央付近のガイド面に対して内方向（隅方向）にはみ出している（オーバーラップしている）ことを表す。カードは、カード差し片とガイド部に挟まれるとともに、カード差し片とガイド部とが重なった部分でカード差し片の弾性力により強く押し付けられるので、外れないように保持される。
【００１３】
本発明においては、  前記カード差し片とガイド部とが複数であり、かつ、前記側板の長さ方向に交互に配置されており、  前記カード差し片の両側に前記ガイド部が配置されていることが好ましい。
【００１４】
カード差し片とガイド部とが複数であることにより、幅の広いカードにも対応できる。また、カード差し片の両側にガイド片が設けられているので、カードの両側部がガイド部でガイドされ、カードの先端縁の両角が下部フランジに当たって曲がるようなことがなく、カードを差しやすい。
【発明の効果】
【００１５】
以上の説明から明らかなように、本発明によれば、カード保持部を、容器本体を成形する金型で作製できるので、製造コストをアップすることなく容器にカード保持部を設けることができる。また、カード保持部は、容器射出成形時の成形姿なりに形成されているので、成形後の曲げ加工等の二次加工が不要である。さらに、下部フランジの上のほとんどの部分を利用するため、高さの高いカードにも対応できる。
【発明を実施するための形態】
【００１６】
以下、本発明の実施の形態について、図面を参照しながら詳細に説明する。
図１は、本発明の実施の形態に係るプラスチック容器を説明する図である、図１（Ａ）は全体の斜視図、図１（Ｂ）は図１（Ａ）のＡ部拡大図である。
図２は、図１（Ｂ）のＢ−Ｂ断面図である。
プラスチック容器１は、長方形の底板２と、底板２の周辺上に立ち上がる、２枚の長辺側側板３と２枚の短辺側側板４とを有する。底板２と各側板３、４との接続部には、外側に張出した下部フランジ６が形成されている。さらに、各側板３、４の上縁には、外側に張出した天面フランジ７が形成されている。これらの底板２、側板３、４、下部フランジ６及び天面フランジ７は、プラスチック材料で射出成形により一体成形されている。
【００１７】
側板（この例では長辺側側板３）の長さ方向の中央部の、同側板３と下部フランジ６との間の隅には、カード差し部１０が形成されている。カード差し部１０は、複数のカード差し片２０と、ガイド部３０とからなる。なお、カード差し部１０は、短辺側側板４に設けられていてもよい。
【００１８】
カード差し片２０は、図１（Ｂ）に示すように、下部フランジ６の外縁から上方向へ立ち上がる立ち上がり片２１と、同立ち上がり辺２１の上縁から、側板３方向及び上方向に湾曲した湾曲片２２とを有する。図２に示すように、湾曲片２２の側面形状は略１／４円弧状である。湾曲片２２の基部２２ａは下部フランジ６とほぼ平行であり、同基部２２ａと下部フランジ６との間には、図２に示す側面視でスキマＣ１が開いている。なお、実際は、図１（Ｂ）に示すように、下面フランジ６のカード差し片２０の下方に当たる部分は成形上空間となっている。したがって、このスキマＣ１は、側面から見た状態での、カード差し片２０の湾曲片２２の基部２２ａと、このカード差し片２０の両側に存在する下部フランジ６との間の間隔を示す。
【００１９】
また、湾曲片２２の先端部２２ｂは側板３とほぼ平行であり、同先端部２２ｂと側板３との間には、スキマＣ２が開いている。なお、カードの保持性を考慮すると、スキマＣ２は狭い方が好ましいが、成形上ある程度以上は狭くできない。
【００２０】
ガイド部３０は、カード差し片２０の側方に、側板３と下部フランジ６との隅が斜めに盛り上がるように形成されている。同ガイド部３０は、側板から下部フランジへ向けて湾曲したガイド面３０ａを有する。
【００２１】
図２に示すように、側面から見ると、カード差し片２０とガイド部３０とが重なっており、カード差し片２０の湾曲部２２の中央付近の下面と、ガイド部３０の中央付近のガイド面３０ａとの間には、図２に示す側面視において、ゼロ又はマイナスのスキマＣ３が生じている。ゼロ以下のスキマＣ３とは、側面から見て、カード差し片２０の湾曲部２２が、ガイド部３０のガイド面３０ａよりも内方向（隅方向）にはみ出していることを示し、カード差し片２０とガイド部３０とが重なった重なり代Ｐを形成している。
【００２２】
また、図１に示すように、カード差し片２０とガイド部３０とは、側板３と下部フランジ６との隅に交互に配列されている。この例では、３個のガイド部３０と２個のカード差し片２０が交互に配列されている。この際、カード差し片２０の両側にガイド部３０が設けられていることが好ましい。
【００２３】
カードを差す場合、まずカードの下縁（先側縁）をカード差し片２０の湾曲部２２の先端部２２ｂと、側板３とのスキマＣ２に挿入する。そのまま下方に押し込むと、カードの先側縁は、ガイド部３０のガイド面３０ａに沿って外方向（下部フランジ外縁方向）に湾曲しながら進む。ここで、カード差し片２０の両側にガイド部３０が設けられており、カードの下角がガイド部３０でガイドされるので、カードの角が下部フランジ６に当たって抵抗を受けるようなことがなく、スムーズにカードを挿入できる。
【００２４】
そして、最終的にカード先側縁がカード差し片２０の立ち上がり部２１に当接するまで押し込む。カード差し片２０の湾曲部２２の基端部２２ａと下部フランジ６の間にはスキマＣ１が開いているので、カードの先側縁が立ち上がり部２１に当接するまでカードを挿入することができる。このように下部フランジ６の上面のほとんどの部分を利用するため、寸法の大きいカードにも対応できる。カードは、カード差し片２０とガイド部３０に挟まれるとともに、重なり代Ｐの部分でカード差し片２０の弾性力により強く押し付けられるので、外れないように保持される。
【００２５】
この容器においては、カード差し片２０が、容器射出成形時の成形姿なりに形成されているので、成形後の加工工程が不要である。
【００２６】
さらに、図１に示すように、カード保持部１０の上方の、天面フランジ７には、カード上端保持部４０が形成されている。カード上端保持部４０は、天面フランジ７の外縁から下方に垂下するように形成されている。このカード上端保持部４０にカードの上端を挟み込むことにより、カードをさらに外れにくく保持できる。
【図面の簡単な説明】
【００２７】
【図１】本発明の実施の形態に係るプラスチック容器を説明する図である、図１（Ａ）は全体の斜視図、図１（Ｂ）は図１（Ａ）のＡ部拡大図である。
【図２】図１（Ｂ）のＢ−Ｂ断面図である。
【符号の説明】
【００２８】
１  プラスチック容器                  ２  底板
３  長辺側側板                        ４  短辺側側板
６  下部フランジ                      ７  天面フランジ
１０  カード保持部                    ２０  カード差し片
２１  立ち上がり片                    ２２  湾曲片
３０  ガイド部                        ４０  カード上端保持部
【図１】
0005118557.tif 000002
【図２】
0005118557.tif 000003